(57)【特許請求の範囲】
【請求項１】
胴部と、前記胴部の天面を覆う頂部と、を備えて物品を収容可能な包装袋であって、
前記頂部には前記包装袋の内部を開放／閉塞することが可能な開閉部が設けられ、
前記頂部には、破断に応じ開口を形成することで前記包装袋を開封する開封線が設けられ、
前記開閉部は、互いに係合することで前記包装袋の前記開口を閉塞可能な雌係合部材と雄係合部材とを有し、
前記胴部には複数の前記物品を並置して互いに接触した状態で密に配列可能であり、
前記包装袋の内部を閉塞した閉塞状態において、前記開閉部が、前記物品の配列方向と交差する方向に延在し、且つ、前記開閉部が、前記包装袋に圧縮して複数収容されることで生じる物品の復元力の作用方向と交差する方向に延在することを特徴とする包装袋。
【請求項２】
前記雌係合部材と前記雄係合部材とが係合する方向が、前記物品の配列方向と略平行な方向であることを特徴とする請求項１に記載の包装袋。
【請求項３】
請求項１または請求項２に記載の包装袋により前記物品が収容されていることを特徴とする包装体。
【請求項４】
前記物品は、衛生用品であることを特徴とする請求項３に記載の包装体。
【請求項５】
前記衛生用品は、パンツ型のおむつであることを特徴とする請求項４に記載の包装体。
【発明の詳細な説明】
【技術分野】
【０００１】
本発明は、包装袋および包装体に関する。特に、包装対象となる物品の中でも衛生用品を収容するのに好適な包装袋と当該包装袋により衛生用品を収容した包装体に関する。
【背景技術】
【０００２】
従来、物品、例えば、靴下、肌着等の衣類や、使い捨ておむつ、軽失禁パッド、生理用品等の衛生用品を収容可能な包装袋に、可能な限り多くの数の物品を効率良く収容させるため、形状、材質、収容方法に様々な工夫がなされた包装袋が存在している。例えば、特許文献１には、複数の物品を整列して収容することで、効率良く物品を梱包可能な包装袋が示されている。
【０００３】
一方、開封後の包装袋に収容された物品をできる限り清潔に保つために、包装袋の開口を開放／閉塞することが可能な開閉部を包装袋に設けることが好ましいと考えられる。当該開閉部は、例えば、互いに係合して閉塞可能な一対の係合部材で構成されたチャックとして包装袋の頂部に設けられる。
【先行技術文献】
【特許文献】
【０００４】
【特許文献１】特開２００１−２４７１８１号公報
【発明の概要】
【発明が解決しようとする課題】
【０００５】
ここで、開閉部を、特許文献１に記載されたような包装袋の頂部の開口付近に設け、開封後に開閉部により閉塞した場合、開閉部の互いに係合する力が必要以上に強いと、包装袋の開口を開放しにくいケースがあった。そのため、収容された物品を速やかに取り出すことができないおそれがあった。
【０００６】
本発明の目的は、閉じられた開閉部を簡単且つ迅速に開くための包装袋および包装体を提供することにある。
【課題を解決するための手段】
【０００７】
本発明による包装袋は、胴部と、胴部の天面を覆う頂部と、を備えて物品を収容可能な包装袋であって、頂部には包装袋の内部を開放／閉塞することが可能な開閉部が設けられ、胴部には複数の物品を並置して互いに接触した状態で密に配列可能であり、包装袋の内部を閉塞した閉塞状態において、開閉部が、物品の配列方向と交差する方向に延在することを特徴とするものである。
【０００８】
また、本発明による包装体は、本発明による包装袋によって物品を収容したことを特徴とするものである。
【発明の効果】
【０００９】
本発明によれば、開閉部を開く方向に作用する物品の復元力を利用して、閉じられた開閉部を簡単且つ迅速に開き、収容された物品を速やかに取り出すことが可能となる。
【図面の簡単な説明】
【００１０】
【図１】本発明の実施形態１に係る、開封前の包装袋および包装体の斜視図である。
【図２】本発明の実施形態１に係る、開封前の包装袋および包装体を示す図であり、（ａ）は図１のＩＩＡ方向の正面図、（ｂ）は上面図、（ｃ）は底面図である。
【図３】本発明の実施形態１に係る包装袋を閉塞する様子について説明するための図であり、（ａ）は図２（ｂ）のＩＩＩＡ−ＩＩＩＡ方向断面図、（ｂ）は開封後かつ閉塞後の包装袋の開閉部付近を示す図である。
【図４】本発明の実施形態１に係る、閉塞後の包装袋および包装体の斜視図である。
【図５】物品の復元力の作用方向について説明するための図であり、（ａ）は図２（ａ）のＶＡ−ＶＡ方向断面図であり、包装袋に物品が圧縮して整列している様子、（ｂ）は圧縮して収容する前の１枚の物品、（ｃ）は圧縮して収容した後の１枚の物品をそれぞれ示す。
【図６】物品の復元力による、包装袋および包装体の胴部の変形について簡略的に示した図である。
【図７】本発明の実施形態２−１に係る、開封前の包装袋および包装体の斜視図である。
【図８】本発明の実施形態２−１に係る、開封前の包装袋および包装体を示す図であり、（ａ）は図７のＶＩＩＩＡ方向の正面図、（ｂ）は上面図、（ｃ）は底面図である。
【図９】本発明の実施形態２−１に係る、開封後の包装袋および包装体を示す図であり、（ａ）は斜視図、（ｂ）は図９（ａ）のＩＸＢ方向の正面図、（ｃ）は上面図である。
【図１０】図８（ａ）のＸ−Ｘ方向の断面を表した模式図である。
【図１１】本発明の実施形態２−１に係る包装袋を閉塞する様子について説明するための図であり、（ａ）は図８（ｂ）のＸＡ−ＸＡ方向断面図、（ｂ）は図９（ｃ）のＸＢ−ＸＢ方向断面図、（ｃ）は開封後かつ閉塞後の包装袋の開閉部付近を示す図である。
【図１２】本発明の実施形態２−１に係る、閉塞後の包装袋および包装体の斜視図である。
【図１３】本発明の実施形態２−２に係る、開封前の包装袋および包装体の斜視図である。
【図１４】本発明の実施形態２−２に係る、開封前の包装袋および包装体を示す図であり、（ａ）は図１３のＸＩＶＡ方向の正面図、（ｂ）は上面図、（ｃ）は底面図である。
【図１５】本発明の実施形態２−２に係る、開封後の包装袋および包装体を示す図であり、（ａ）は斜視図、（ｂ）は図１５（ａ）のＸＶＢ方向の正面図、（ｃ）は上面図である。
【図１６】図１４（ａ）のＸＶＩ−ＸＶＩ方向の断面を表した模式図である。
【図１７】本発明の実施形態２−２に係る包装袋を閉塞する様子について説明するための図であり、（ａ）は図１４（ｂ）のＸＶＩＩＡ−ＸＶＩＩＡ方向断面図、（ｂ）は図１５（ｃ）のＸＶＩＩＢ−ＸＶＩＩＢ方向断面図、（ｃ）は開封後かつ閉塞後の包装袋の開閉部付近を示す図である。
【図１８】本発明の実施形態２−２に係る、閉塞後の包装袋および包装体の斜視図である。
【図１９】本発明の実施形態２−３に係る、開封前の包装袋および包装体の斜視図である。
【図２０】本発明の実施形態２−３に係る、包装袋および包装体を示す図であり、（ａ）は図１９のＸＸＡ方向の正面図、（ｂ）は図１９のＸＸＢ方向の正面図、（ｃ）は上面図、（ｄ）は底面図である。
【図２１】本発明の実施形態２−３に係る、包装袋および包装体に設けられた開閉部を閉じる様子について説明するための図である。
【図２２】物品の復元力による傾斜面部の状態の変化について説明するための図であって、包装袋の側面部Ｉ側から見た一対の傾斜面部の断面を模式的に表したものであり、（ａ）は復元力により状態が変化する前の傾斜面部、（ｂ）は復元力により傾斜角等が変化した後の傾斜面部、（ｃ）は復元力により形状が変化した後の傾斜面部についてそれぞれ表す。
【発明を実施するための形態】
【００１１】
以下、図面を参照しながら本発明を実施するための形態を詳細に説明する。
【００１２】
なお、本明細書および特許請求の範囲の記載において、「天面」および「底面」とは、包装袋によって画成された物品の収容空間の面自体を指すものとして参照される。但し、これらの用語はあくまで便宜上のものであり、重力方向における絶対的な位置を規定するものではないことは勿論である。また、「上」、「下」などの用語についても同様である。「底面部」とは、「底面」に位置している包装袋の実体的な部分を指すものとして参照される。一方、「頂部」とは、天面を覆っている実体的な部分である天面部と、これに必要に応じて付帯する部分と、を含む部分を言い、当該付帯部分がない場合には天面部自体と等しい。
【００１３】
また、本明細書および特許請求の範囲の記載において、「包装体」とは、物品が収容された状態の包装袋、特に包装袋に複数の物品が収容されることで製造された後であって且つ開封前のものをいう。
【００１４】
さらに、本明細書および特許請求の範囲の記載における「閉塞」という用語は、包装袋の内部を雰囲気から完全に遮断すること（すなわち封止すること）だけでなく、包装袋の内部を異物の侵入から効果的に保護できる程度に実質的に包装袋を閉じることも包含するものである。また、「閉塞状態」とは、包装袋の内部を閉塞した状態をいい、以下、「包装袋の閉塞状態」とも言う。
【００１５】
本明細書および特許請求の範囲の記載において、「接着」とは、接着剤を使用したものの他、溶着によるもの、熱融着（以下、ヒートシールということがある）によるものも含む。
【００１６】
本発明の実施形態に係る包装袋は、当該包装袋の閉塞状態において、開閉部が複数の物品の配列方向と交差する方向に延在するように、当該開閉部を包装袋の頂部に設けることにより、圧縮して収容された物品の復元力が開閉部を開く力に資する結果、開閉部を簡単且つ迅速に開くことが可能となるものである。
【００１７】
＜実施形態１＞  
図１および図２に本発明の実施形態１に係る、開封前の包装袋１および包装体１００を示し、図１は斜視図、図２（ａ）は図１のＩＩＡ方向の正面図、図２（ｂ）は上面図、図２（ｃ）は底面図をそれぞれ表す。
【００１８】
本実施形態に係る包装袋１は、いわゆる、天面側に片ガセットを配置したタイプのものである。包装袋１は、天面と底面との間の物品（本実施形態では衛生用品２）を収容する空間を実質的に画成する胴部３と、当該胴部３の天面を覆う頂部４とを備えて構成される。なお、これらの部分は別体に製造された後に一体化されたものではなく、１枚のシート状部材の折り曲げ等によって予め一体に形成されているものである。
【００１９】
本実施形態の包装袋１は、図１に示すように、衛生用品２を複数収容した状態で略直方体形状を呈し、胴部３は、包装袋１の底面部と略垂直な４つの側面部を有する。図２（ｂ）に示すように、その略直方体を包装袋１の天面部５側からみた場合の包装袋１の上面の形状は略長方形である。なお、本明細書および特許請求の範囲の記載において「略直方体」というときは、当然に立方体も含まれるし、「略長方形」というときは、当然に正方形も含まれる。包装袋１の上面の形状が正方形である場合、いずれの辺を本明細書および特許請求の範囲の記載における長辺（または短辺）とみなしてもよい。図１に示すように、当該４つの側面部のうち、一方の対向する２つの側面部をＡ、Ａ’とし、他方の対向する２つの側面部をＢ、Ｂ’とする。包装袋１の胴部３には複数の衛生用品２を並置して互いに接触した状態で密に配列可能である。本実施形態では、衛生用品２は、圧縮された状態で、図２（ｂ）に示す上記略長方形の短辺と略平行な方向（対向する２つの側面部Ａ、Ａ’と略平行な方向）に２列配列される。圧縮して収容された複数の衛生用品２の復元力によって、対向する２つの側面部Ｂ、Ｂ’には、包装袋１の外側に膨出するような力が略垂直方向に働くことになる。
【００２０】
頂部４には、包装袋１の胴部３の底面部（図２（ｃ）を参照）と略平行な天面部５とこれに付帯する立ち上がり部６とが設けられる。天面部５の中央付近には、上記略長方形の長辺と略平行に開封線７が設けられ、これを破断することで、包装袋１が開封され、包装袋１の開口が形成される。開封線７は、例えば、ミシン目として天面部５上に形成される。
【００２１】
頂部４には包装袋１の内部を開放／閉塞することが可能な開閉部８が設けられる。本実施形態では、開閉部８を閉じることによって包装袋１の開口を閉塞し、開閉部８を開くことによって包装袋１の開口を開放する。具体的には、開閉部８は、例えば、互いに係合（例えば、咬合）することで包装袋１の開口を閉塞可能な一対の係合部材を有するチャックで構成され、図１および図２（ｂ）に示すように、互いに係合可能な雌係合部材８ａと雄係合部材８ｂとで構成される。本実施形態では、開閉部８は、包装袋１の胴部３の底面部と略平行であって、頂部４の立ち上がり部６のうち内周部分に設けられ、例えば、包装袋１の表面に接着することによって形成される。本実施形態では、図２（ｂ）に示す略長方形の上半分の内周部分に雌係合部材８ａが形成され、図２（ｂ）に示す略長方形の下半分の内周部分に雄係合部材８ｂが形成される。開閉部８を設けることによって、必要な枚数の衛生用品２を取り出した後、開閉部８により包装袋１の開口を閉塞することが可能となるため、開封後に塵埃や虫などの異物が侵入し衛生用品２に付着することを防止することが可能となる。
【００２２】
図２（ａ）に示すように、開閉部８は、収容された衛生用品２に対し、胴部３の底面部に垂直な方向において、間隙Ｌをもって位置するように形成されている。当該間隙Ｌが設けられることによって、開閉部８のうち雌係合部材８ａと雄係合部材８ｂとが、互いに対峙して容易に係合できる範囲に移動することができるため、包装袋１を閉塞することが可能となる。
【００２３】
図３を用い、本発明の実施形態１に係る包装袋１を閉塞する様子について説明する。ここで、図３（ａ）は、図２（ｂ）のＩＩＩＡ−ＩＩＩＡ方向断面図であって、開封前の包装袋１の開閉部８付近を示し、図３（ｂ）は、開封後かつ閉塞後の包装袋１の開閉部８付近の模式図を示す。また、図４に閉塞後の包装袋１および包装体１００の斜視図を示す。
【００２４】
包装袋１の開封前の開閉部８については、図３（ａ）に示すように、雌係合部材８ａと雄係合部材８ｂとが互いに離れて、対向している様子がわかる。開封後の包装袋１を閉塞する際の開閉部８については、図３（ｂ）に示すように、雌係合部材８ａと雄係合部材８ｂとが互いに係合して包装袋１を閉塞している様子がわかる。包装袋１を閉塞すると、包装袋１は図４に示すような状態になる。
【００２５】
本実施形態では、包装袋１の閉塞状態において、開閉部８は、衛生用品２の配列方向と交差する方向に延在する。すなわち、閉塞状態において、開閉部８は、包装袋１に圧縮して複数収容されることで生じる衛生用品２の復元力の作用方向と交差する方向に延在する。
【００２６】
図５は包装袋に圧縮して複数収容されることで生じる衛生用品の復元力の作用方向について説明するための図である。図５（ａ）は図２（ａ）のＶＡ−ＶＡ方向断面図であり、包装袋１に衛生用品が圧縮して整列している様子を示す。また、図５（ｂ）は圧縮して収容する前の１枚の衛生用品、図５（ｃ）は圧縮して収容した後の１枚の衛生用品をそれぞれ示す。
【００２７】
図５（ａ）に示すように、包装袋１には、衛生用品２1、２2、２3、２4〜２n-1、２n（ｎは２以上の整数）がそれぞれ圧縮状態で２列配列され、収容されている。図５（ｂ）および図５（ｃ）に示すように、例えば、圧縮して収容した後の１枚の衛生用品２1には、圧縮して収容する前の１枚の衛生用品２’1と比較して、圧縮された力に対して反発するように、復元力Ｆ1が生じているのがわかる。残りの衛生用品２2、２3、２4〜２n-1、２nについても、衛生用品２1と同様に圧縮されるので、復元力Ｆ1と同様の復元力をそれぞれ生じることになる。そして、複数の衛生用品２1、２2、２3、２4〜２n-1、２nから生じた復元力Ｆ2は、対向する２つの側面部Ｂ、Ｂ’を外側に膨出するように、側面部Ｂ、Ｂ’に対して略垂直な方向に働くことになる（図５（ａ）を参照）。本実施形態では、衛生用品２1、２2、２3、２4〜２n-1、２nが２列配列されているため、当該２列分の復元力Ｆ2が、側面部Ｂ、Ｂ’に対して働く。また、対向する２つの側面部Ｂ、Ｂ’が外側に膨出することによって、側面部Ｂ、Ｂ’と一体となっている側面部Ａ、Ａ’ にも力がそれぞれ伝わり、図５（ａ）に示すように、側面部Ａ、Ａ’に対して凹む力Ｆ3がそれぞれ作用することになる。
【００２８】
図６は圧縮して複数収容したときに生じる衛生用品の復元力による、図２（ａ）のＶＡ−ＶＡ方向断面の包装袋１および包装体１００の胴部の変形について模式的に且つ誇張して示した図である。図６において、複数の衛生用品２が収容される前の包装袋１の胴部３の断面形状Ｃを一点鎖線で表し、複数の衛生用品２が収容された後の包装袋１の胴部３の断面形状Ｄを実線で表す。断面形状Ｄは、図６に示すように、断面形状Ｃと比較して、収容された複数の衛生用品２の復元力Ｆ2および力Ｆ3によって変形している（図６では変形前と比較して縦長になっている）ことがわかる。
【００２９】
従来、一度開封した包装袋１から衛生用品２を取り出す場合、包装袋１の開口を閉塞した開閉部８を開くためには、開閉部８の係合する力を上回る力で開く必要があり、当該係合する力が強いと、包装袋１の開口を開放する動作に手間が掛かる場合があった。
【００３０】
本実施形態では、包装袋１の閉塞状態において開閉部８が衛生用品２の配列方向と交差する方向に延在するように、開閉部８を包装袋１の頂部４に設ける。この構成により、復元力Ｆ2は、対向する側面部Ｂ、Ｂ’を外側に膨出させ、側面部Ｂ、Ｂ’と一体となった頂部４の先端縁を外側に広げさせることになる。
【００３１】
復元力Ｆ2は、開閉部８を開く方向に平行な成分と、開閉部８の延在する方向に平行な成分とに分解できる。当該開く方向に平行な成分は、ユーザが開閉部８を開く方向の力と合成され、当該合成された力が開閉部８に作用する結果、開閉部８を開く力に資することになる。したがって、開閉部８を簡単且つ迅速に開くことが可能になるので、収容された物品を速やかに取り出すことが可能となる。
【００３２】
本実施形態では、図４に示すように、閉塞状態において、開閉部８は、衛生用品２の配列方向と略垂直な方向に延在するのが好ましい。つまり、閉塞状態において、開閉部８は、上記復元力の作用方向と略垂直な方向に延在するのが好ましい。換言すると、雌係合部材８ａと雄係合部材８ｂとが係合する方向は、衛生用品２の配列方向と略平行な方向であることが好ましい。これは、復元力Ｆ2が開閉部８を開く方向に略平行な成分のみになるので、開閉部８を開く力が強くなるためである。
【００３３】
本実施形態では、物品として衛生用品を対象としたが、衛生用品は、他の物品に比べて、包装袋内部への異物の侵入を防ぐため、閉塞された包装袋を開放し、収容された衛生用品を取り出し、再び閉塞する、という一連の動作を迅速に行うことへの要求が高いことから、本発明の効果をより享受できる。更には、衛生用品の中でもパンツ型のおむつは厚みが充分にあることから、それを複数収容した包装袋の胴部の対向する２つの側面部Ｂ、Ｂ’には、上記復元力Ｆ2が強く働く。よって、本実施形態を、当該パンツ型のおむつを複数収容した包装体に適用した場合、他の種類の衛生用品を収容した包装体よりも、開閉部８を開きやすいという効果がより一層発揮されることになる。
【００３４】
ここで包装袋１の製造工程の一例を以下に述べる。
【００３５】
包装袋１は、一側縁にはガセット部が設けられ、当該一側縁に対向する他側縁が開放状態になった長尺状のフィルム（以下、片ガセットフィルムということがある）から製造される。上記ガセット部は、一側縁を谷折りにしたガセット構造となっており、一側縁を谷折りにして形成される２つの山（以下、ガセット半部ということがある）を有する。
（１）先ず、包装袋１の天面部５および立ち上がり部６が形成される領域を設けるため、ガセット半部の先端から基端までの間のうち一定幅で、図２（ａ）に示す包装袋１の正面から見て横方向に相当する方向（片ガセットフィルムの長手方向）に、ガセット半部の内側の面を接着する。この接着は、２つのガセット半部についてそれぞれ行われ、例えば、ヒートシールによって行われる。  
（２）そして、図２（ａ）に示す包装袋１の正面から見て横方向に相当する方向（片ガセットフィルムの長手方向）において所定間隔で、一側縁から他側縁までを一定幅で片ガセットフィルムを接着し、片ガセットフィルムに複数の接着部を形成させる。  
（３）次に、接着部の幅が半分になるように、図２（ａ）に示す包装袋１の高さ方向に相当する方向（片ガセットフィルムの短手方向）に沿って、複数の接着部をそれぞれ切断していくと、両側端が接着された個々の袋状のフィルムを得ることができる。  
（４）個々になった袋状のフィルムのうちガセット部を折り畳んで、天面部５、立ち上がり部６、および４つの側面部を形成することによって、底面部が開放状態の包装袋１を得ることができる。衛生用品２は、その開放された他側縁から挿入され、図１の破断部分に示すように収容され、他側縁を折り込むことによって包装袋１に収容されることになる。折り込まれた他側縁は、接着によって封止される。
【００３６】
本実施形態では、図１に示すように、包装袋１の４つの側面部のうち対向する２つの側面部Ａ、Ａ’は、接着部を切断したときにできるシール部を中央付近にそれぞれ有し、残りの対向する２つの側面部Ｂ、Ｂ’は、シール部を有さない略フラットな面をそれぞれ有する。
【００３７】
＜実施形態２＞  
本発明の実施形態２に係る包装袋は、胴部の天面を覆う屋根型形状の頂部を有したものである。このような実施形態１と異なる形状の包装袋についても、閉塞状態において、開閉部が圧縮して収容された物品（本実施形態においては衛生用品２）の配列方向と交差する方向に延在するように、当該開閉部を包装袋の頂部に設けることで、開閉部を簡単且つ迅速に開くことが可能となる。
【００３８】
開封線および開閉部が設けられる位置がそれぞれ異なる包装袋の３つの形態について、次の実施形態２−１から実施形態２−３においてそれぞれ説明する。図７から図２２に示す実施形態２−１から実施形態２−３に係る包装袋を構成する各要素のうち、同様の機能を有するものについては、同一の符号を付してその説明を省略する。
【００３９】
＜実施形態２−１＞  
本発明の実施形態２−１に係る包装袋では、屋根型形状を構成する一対の傾斜面部の一方に開封線を設け、一対の傾斜面部の内周に開閉部を設ける。
【００４０】
図７および図８に本発明の実施形態２−１に係る、開封前の包装袋１０および包装体１１０を示し、図７は斜視図、図８（ａ）は図７のＶＩＩＩＡ方向の正面図、図８（ｂ）は上面図、図８（ｃ）は底面図をそれぞれ表す。また、図９に本実施形態に係る、開封後の包装袋１０’および包装体１１０’を示し、図９（ａ）は斜視図、図９（ｂ）は図９（ａ）のＩＸＢ方向の正面図、図９（ｃ）は上面図をそれぞれ表す。
【００４１】
包装袋１０は、天面と底面との間の衛生用品２を収容する空間を実質的に画成する胴部１３と、胴部１３の天面を覆う頂部１４とを備えて構成される。なお、これらの部分は別体に製造された後に一体化されたものではなく、１枚のシート状部材の折り曲げ等によって予め一体に形成されているものである。
【００４２】
本実施形態の包装袋１０の胴部１３は、包装袋１０の底面部（図８（ｃ）を参照）と略垂直な４つの側面部を有する。図８（ｂ）に示すように、包装袋１０の天面側からみた場合の包装袋１０の上面の形状は略長方形である。図７に示すように、当該４つの側面部のうち、一方の対向する２つの側面部をＥ、Ｅ’とし、他方の対向する２つの側面部をＦ、Ｆ’とする。包装袋１０の胴部１３には、実施形態１と同様に、複数の衛生用品２を並置して互いに接触した状態で密に配列可能である。本実施形態では、衛生用品２は、圧縮された状態で、図８（ｂ）に示す上記略長方形の短辺と略平行な方向（対向する２つの側面部Ｅ、Ｅ’と略平行な方向）に２列配列され、包装袋１０の胴部１３に収容されている。圧縮して収容された複数の衛生用品２の復元力によって、対向する２つの側面部Ｆ、Ｆ’には、包装袋１０の外側に膨出するような力が略垂直方向に働くことになる。
【００４３】
頂部１４には、一対の傾斜面部１５とこれらに挟まれるように立ち上がり部１６とが設けられる。一対の傾斜面部１５の一方には、図８（ａ）に示すように、図８（ｂ）に示す略長方形の長辺と略平行に開封線１７が設けられ、これを破断することで、包装袋１０が開封され、包装袋１０の開口が形成される。
【００４４】
図１０は図８（ａ）のＸ−Ｘ方向の断面を表した模式図である。この断面は、包装袋１０の頂部１４を、開封線１７を含めるように破断したときに形成される開口を簡略的に示したものである。図１０では開封線１７を間欠的にハッチングした部分で表す。本実施形態では、図１０に示すように、開封線１７は、胴部１３の底面部に略平行であって、一対の傾斜面部１５の一方の面（側面部Ｆ近傍の傾斜面）と、頂部１４のうち側面部ＥおよびＥ’の上方に延在する折り込み部分とに形成され、一対の傾斜面部１５の他方の面（側面部Ｆ’近傍の傾斜面）には形成されていないことがわかる。このように形成された開封線１７を破断すると、図９（ａ）および図９（ｂ）に示すように、立ち上がり部１６が残った状態で、包装袋１０に略長方形の開口が形成され、包装袋１０が開封される。
【００４５】
包装袋１０の内側の面のうち頂部１４には包装袋１０の内部を開放／閉塞することが可能な開閉部１８が設けられる。開閉部１８は、実施形態１と同様に、例えば、互いに係合することで包装袋の開口を閉塞可能な一対の係合部材で構成されたチャックで構成され、図７および図８（ｂ）に示すように、互いに係合可能な雌係合部材１８ａと雄係合部材１８ｂとで構成される。本実施形態では、開閉部１８は、包装袋１０の胴部１３の底面部と略平行であって、包装袋１０の傾斜面部１５のうち内側の面に設けられる。本実施形態では、図９（ｃ）に示す略長方形の上半分の内周部分に雌係合部材１８ａが形成され、図９（ｃ）に示す略長方形の下半分の内周部分に雄係合部材１８ｂが形成される。
【００４６】
図９（ｂ）に示すように、開封後の包装袋１０’において、開閉部１８は、収容された衛生用品２に対し、胴部１３の底面部に垂直な方向において、間隙Ｌ’をもって位置するように形成されている。当該間隙Ｌ’が設けられることによって、開閉部１８のうち雌係合部材１８ａと雄係合部材１８ｂとが、互いに対峙して容易に係合できる範囲に移動することができるため、包装袋１０’を閉塞することが可能となる。
【００４７】
図１１を用い、本発明の実施形態２−１に係る包装袋１０’を閉塞する様子について説明する。ここで、図１１（ａ）は、図８（ｂ）のＸＩＡ−ＸＩＡ方向断面図であって、開封前の包装袋１０および包装体１１０の開閉部１８付近を示し、図１１（ｂ）は、図９（ｃ）のＸＩＢ−ＸＩＢ方向断面図であって、開封後の包装袋１０’および包装体１１０’の開閉部１８付近を示す。また、図１１（ｃ）は、開封後かつ閉塞後の包装袋１０’および包装体１１０’の開閉部１８付近を示す。さらに、図１２に閉塞後の包装袋１０’および包装体１１０’の斜視図を示す。
【００４８】
開封前の包装袋１０の開閉部１８については、図８（ｂ）、図１１（ａ）に示すように、雌係合部材１８ａと雄係合部材１８ｂとが互いに離れて、並行して配設されている様子がわかる。開封後の包装袋１０’の開閉部１８については、図１１（ｂ）に示すように、雌係合部材１８ａと雄係合部材１８ｂとが互いに離れて、対向している様子がわかる。閉塞する際の開閉部１８については、図１１（ｃ）に示すように、雌係合部材１８ａと雄係合部材１８ｂとが互いに係合して包装袋１０’を閉塞している様子がわかる。包装袋１０’を閉塞すると、包装袋１０’は図１２に示すような状態になる。
【００４９】
本実施形態では、包装袋１０’の閉塞状態において、開閉部１８は、衛生用品２の配列方向と交差する方向に延在する。すなわち、閉塞状態において、開閉部１８は、包装袋に圧縮して複数収容されることで生じる衛生用品２の復元力の作用方向と交差する方向に延在する。
【００５０】
本実施形態において、包装袋に圧縮して複数収容されることで生じる衛生用品２の復元力が、開封後の包装袋の胴部１３の４つの側面部にどのように作用するかについては、図５（ａ）〜図５（ｃ）、図６について説明した実施形態１の場合と同様である。
【００５１】
本実施形態では、図１２に示すように、閉塞状態において、開閉部１８は、衛生用品２の配列方向と略垂直な方向に延在するのが好ましい。つまり、閉塞状態において、開閉部１８は、上記復元力の作用方向と略垂直な方向に延在するのが好ましい。換言すると、雌係合部材１８ａと雄係合部材１８ｂとが係合する方向は、衛生用品２の配列方向と略平行な方向であることが好ましい。これは、実施形態１で説明した同様の理由からである。
【００５２】
本実施形態によれば、実施形態１と同様に、開閉部を開く方向に作用する物品の復元力を利用して、閉じられた開閉部を簡単且つ迅速に開き、収容された物品を迅速に取り出すことが可能となる。
【００５３】
＜実施形態２−２＞  
本発明の実施形態２−２に係る包装袋では、屋根型形状を構成する一対の傾斜面部の双方に開封線を設け、一対の傾斜面部の内周に開閉部を設ける。
【００５４】
図１３および図１４に本発明の実施形態２−２に係る、開封前の包装袋１０および包装体１２０を示し、図１３は斜視図、図１４（ａ）は図１３のＸＩＶＡ方向の正面図、図１４（ｂ）は上面図、図１４（ｃ）は底面図をそれぞれ表す。また、図１５に本実施形態に係る、開封後の包装袋１０’および包装体１２０’を示し、図１５（ａ）は斜視図、図１５（ｂ）は図１５（ａ）のＸＶＢ方向の正面図、図１５（ｃ）は上面図をそれぞれ表す。
【００５５】
本実施形態の包装袋１０の胴部１３は、包装袋１０の底面部（図１４（ｃ）を参照）と略垂直な４つの側面部を有し、図１３に示すように、当該４つの側面部のうち、一方の対向する２つの側面部をＧ、Ｇ’とし、他方の対向する２つの側面部をＨ、Ｈ’とする。本実施形態における衛生用品２の配列については実施形態２−１と同様であり、衛生用品２は、圧縮された状態で、図１４（ｂ）に示す上記略長方形の短辺と略平行な方向（対向する２つの側面部Ｇ、Ｇ’と略平行な方向）に２列配列され、包装袋１０の胴部１３に収容されている。圧縮して収容された複数の衛生用品２の復元力によって、対向する２つの側面部Ｈ、Ｈ’には、包装袋１０の外側に膨出するような力が略垂直方向に働くことになる。
【００５６】
一対の傾斜面部１５には、図１４（ａ）に示すように、図１４（ｂ）に示す略長方形の長辺と略平行に開封線１７が設けられ、これを破断することで、包装袋１０が開封され、包装袋１０の開口が形成される。
【００５７】
図１６は図１４（ａ）のＸＶＩ−ＸＶＩ方向の断面を表した模式図である。この断面は、包装袋１０の頂部１４を、開封線１７を含めるように破断したときに形成される開口を簡略的に示したものである。図１６では開封線１７を間欠的にハッチングした部分で表す。本実施形態では、図１６に示すように、開封線１７は、胴部１３の底面部に略平行であって、一対の傾斜面部１５の双方の面と、頂部１４のうち側面部ＧおよびＧ’の上方に延在する折り込み部分とに形成されていることがわかる。このように形成された開封線１７を破断すると、図１５（ａ）および図１５（ｂ）に示すように、立ち上がり部１６が除去され、包装袋１０に略長方形の開口が形成され、包装袋１０が開封される。
【００５８】
包装袋１０の内側の面のうち頂部１４には、実施形態２−１と同様に、包装袋１０の内部を開放／閉塞することが可能な開閉部１８が設けられる。開閉部１８は、実施形態２−１と同様に、互いに係合可能な雌係合部材１８ａと雄係合部材１８ｂとで構成される。本実施形態では、開閉部１８は、包装袋１０の胴部１３の底面部と略平行であって、包装袋１０の傾斜面部１５のうち内側の面に設けられる。本実施形態では、図１５（ｃ）に示す略長方形の上半分の内周部分に雌係合部材１８ａが形成され、図１５（ｃ）に示す略長方形の下半分の内周部分に雄係合部材１８ｂが形成される。
【００５９】
図１５（ｂ）に示すように、開封後の包装袋１０’において、開閉部１８は、収容された衛生用品２に対し、胴部１３の底面部に垂直な方向において、間隙Ｌ’をもって位置するように形成されている。この構成により、実施形態２−１と同様に、包装袋１０’を閉塞することが可能となっている。
【００６０】
図１７を用い、本発明の実施形態２−２に係る包装袋１０’を閉塞する様子について説明する。ここで、図１７（ａ）は、図１４（ｂ）のＸＶＩＩＡ−ＸＶＩＩＡ方向断面図であって、開封前の包装袋１０および包装体１２０の開閉部１８付近を示し、図１７（ｂ）は、図１５（ｃ）のＸＶＩＩＢ−ＸＶＩＩＢ方向断面図であって、開封後の包装袋１０’および包装体１２０’の開閉部１８付近を示す。また、図１７（ｃ）は、開封後かつ閉塞後の包装袋１０’および包装体１２０’の開閉部１８付近を示す。さらに、図１８に閉塞後の包装袋１０’および包装体１２０’の斜視図を示す。
【００６１】
開封前の包装袋１０の開閉部１８については、図１４（ｂ）、図１７（ａ）に示すように、雌係合部材１８ａと雄係合部材１８ｂとが互いに離れて、並行して配設され、開封後の包装袋１０’の開閉部１８については、図１７（ｂ）に示すように、雌係合部材１８ａと雄係合部材１８ｂとが互いに離れて、対向している様子がわかる。閉塞する際の開閉部１８については、図１７（ｃ）に示すように、雌係合部材１８ａと雄係合部材１８ｂとが互いに係合して包装袋１０’を閉塞している様子がわかる。包装袋１０’を閉塞すると、包装袋１０’は図１８に示すような状態になる。
【００６２】
本実施形態では、実施形態２−１と同様に、包装袋１０’の閉塞状態において、開閉部１８は、衛生用品２の配列方向と交差する方向に延在する。すなわち、閉塞状態において、開閉部１８は、包装袋に圧縮して複数収容されることで生じる衛生用品２の復元力の作用方向と交差する方向に延在する。
【００６３】
本実施形態において、包装袋に圧縮して複数収容されることで生じる衛生用品２の復元力が、開封後の包装袋の胴部１３の４つの側面部にどのように作用するかについては、図５（ａ）〜図５（ｃ）、図６について説明した実施形態１の場合と同様である。
【００６４】
本実施形態では、図１８に示すように、閉塞状態において、開閉部１８は、衛生用品２の配列方向と略垂直な方向に延在するのが好ましい。つまり、閉塞状態において、開閉部１８は、上記復元力の作用方向と略垂直な方向に延在するのが好ましい。換言すると、雌係合部材１８ａと雄係合部材１８ｂとが係合する方向は、衛生用品２の配列方向と略平行な方向であることが好ましい。これは、実施形態１で説明した同様の理由からである。
【００６５】
本実施形態によれば、実施形態１と同様に、開閉部を開く方向に作用する物品の復元力を利用して、閉じられた開閉部を簡単且つ迅速に開き、収容された物品を迅速に取り出すことが可能となる。
【００６６】
＜実施形態２−３＞  
本発明の実施形態２−３に係る包装袋では、屋根型形状を構成する一対の傾斜面部の一方に、開封線と、当該開封線を挟んで配置される開閉部と、を設ける。
【００６７】
図１９および図２０に本発明の実施形態に係る、包装袋１０および包装体１３０を示し、図１９は斜視図、図２０（ａ）は図１９のＸＸＡ方向の正面図、図２０（ｂ）は図１９のＸＸＢ方向の正面図、図２０（ｃ）は上面図、図２０（ｄ）は底面図をそれぞれ表す。
【００６８】
本実施形態の包装袋１０の胴部１３は、包装袋１０の底面部（図２０（ｄ）を参照）と略垂直な４つの側面部を有し、図１９に示すように、当該４つの側面部のうち、一方の対向する２つの側面部をＩ、Ｉ’とし、他方の対向する２つの側面部をＪ、Ｊ’とする。本実施形態における衛生用品２の配列については実施形態２−１と同様であり、衛生用品２は、圧縮された状態で、図１９（ｃ）に示す上記略長方形の短辺と略平行な方向（対向する２つの側面部Ｉ、Ｉ’と略平行な方向）に２列配列され、包装袋１０の胴部１３に収容されている。圧縮して収容された複数の衛生用品２の復元力によって、対向する２つの側面部Ｊ、Ｊ’には、包装袋１０の外側に膨出するような力が略垂直方向に働くことになる。
【００６９】
一対の傾斜面部１５のうち側面部Ｊ近傍の傾斜面部１５であって、立ち上がり部１６に近い領域には、図１９（ｃ）に示す略長方形の長辺と略平行に開封線１７が設けられ、これを破断することで、包装袋１０が開封され、包装袋１０の開口が形成される。
【００７０】
包装袋１０の外側の面のうち頂部１４には、包装袋１０の内部を開放／閉塞することが可能な開閉部１８が設けられる。開閉部１８は、実施形態２−１と同様に、互いに係合可能な雌係合部材１８ａと雄係合部材１８ｂとで構成される。本実施形態では、開閉部１８は、包装袋１０の胴部１３の底面部と略平行であって、包装袋１０の傾斜面部１５のうち外側の面に設けられ、上記開封線１７を挟むように配置される。本実施形態では、図１９（ｃ）に示す一対の係合部材のうち上側のものが雌係合部材１８ａ、下側のものが雄係合部材１８ｂとなっている。
【００７１】
図２１は、本発明の実施形態２−３に係る、包装袋１０および包装体１３０に設けられた開閉部１８を閉じる様子について説明するための図である。本実施形態では、一対の傾斜面部１５と、収容する衛生用品２とに間隙を設けることによって、傾斜面部１５に掴み代が形成されるようにしているため、傾斜面部１５の弛みを許容することになる。そして、弛みがあれば、図２１に示すように、ユーザは開封線の破断後に形成される開口１７’の両側を両手（図２１では左手９Ｌと右手９Ｒ）で掴んで互いに引き寄せ、雌係合部材１８ａ、雄係合部材１８ｂ同士を互いに係合させることができる。
【００７２】
本実施形態では、実施形態２−１と同様に、開閉部１８は、衛生用品２の配列方向と交差する方向に延在する。すなわち、開閉部１８は、包装袋１０に圧縮して複数収容されることで生じる衛生用品２の復元力の作用方向と交差する方向に延在する。
【００７３】
本実施形態において、包装袋１０に圧縮して複数収容されることで生じる衛生用品２の復元力が、包装袋の胴部１３の４つの側面部にどのように作用するかについては、図３（ａ）〜図３（ｃ）、図４について説明した実施形態１の場合と同様である。
【００７４】
本実施形態では、図１９に示すように、開閉部１８は、衛生用品２の配列方向と略垂直な方向に延在するのが好ましい。つまり、開閉部１８は、上記復元力の作用方向と略垂直な方向に延在するのが好ましい。換言すると、雌係合部材１８ａと雄係合部材１８ｂとが係合する方向は、衛生用品２の配列方向と略平行な方向であることが好ましい。これは実施形態１で説明した同様の理由からである。
【００７５】
図２２（ａ）から図２２（ｃ）は衛生用品２の復元力による傾斜面部１５の状態の変化について説明するための図であり、包装袋１０の側面部Ｉ側から見た一対の傾斜面部１５の断面を模式的に表したものである。図２２（ａ）から図２２（ｃ）では、一対の傾斜面部１５を２つの斜辺とし、当該２つの斜辺の下端同士を繋ぐ線（２点鎖線で示す線）を底辺として略三角形の形状が表されている。
【００７６】
図２２（ａ）は衛生用品２の復元力により状態が変化する前の傾斜面部１５を表す。図２２（ａ）中、開閉部１８を備えた一方の傾斜面部１５の傾斜方向の長さ（図２２（ａ）に示す略三角形の右側の斜辺の長さ）をＬS1、他方の傾斜面部１５の傾斜方向の長さ（上記略三角形の左側の斜辺の長さ）をＬS2、上記下端同士を繋ぐ線の長さ（上記略三角形の底辺の長さ）をＬIとする。上記略三角形の右側の斜辺と底辺とで成す角を傾斜角θSとして表す。
【００７７】
図２２（ｂ）は衛生用品２の復元力により状態が変化した傾斜面部１５を表し、傾斜角θSが小さくなってθS1’ となり、長さＬIが長くなってＬI1’となったが、傾斜方向の長さＬS1は変化していない様子を表す。図２２（ｃ）は衛生用品２の復元力により形状が変化した後の傾斜面部１５を表し、傾斜角θS1’がさらに小さくなってθS2’ となり、長さＬI1’がさらに長くなってＬI2’ となり、傾斜方向の長さＬS1が長くなってＬS1’ となった様子を表す。図２２（ｃ）に示すように、衛生用品２の復元力によって、開閉部１８を備えた傾斜面部１５が伸張し、傾斜方向の長さＬS1が長くなっていることがわかる。
【００７８】
本実施形態において、開閉部１８を開き易いという効果をより発現できる条件としては、ＬS1+ＬS2≦ＬI2’となる条件を満たす場合である。また、この条件よりも開閉部１８を開き易いという効果をより発現できる条件としては、ＬS1＜ＬS1’となる条件を満たす場合である。しかし、これらの条件を満たさなくても（例えば、図２２（ｂ）に示す状態の場合）、衛生用品２の復元力により開閉部１８に対して引張応力が作用しているならば、開閉部１８を開き易いという効果を享受することが可能である。
【００７９】
本実施形態によれば、実施形態１と同様に、開閉部を開く方向に作用する物品の復元力を利用して、閉じられた開閉部を簡単且つ迅速に開き、収容された物品を迅速に取り出すことが可能となる。
【００８０】
＜その他＞  
本発明は、上述した実施形態１および実施形態２や、随所に述べた変形例に限られることなく、本発明の技術的思想から逸脱しない範囲で、適宜の変更や変形が可能である。
【００８１】
例えば、上記各実施形態では、開封線が形成されているが、包装袋を開封可能であるなら、開封線を形成せずに、簡単に破断可能な素材で構成された易破断部を包装袋の頂部付近に設けても良い。また、開封線を形成せずに、両縁を掴んで開封するような包装袋についても本発明は適用可能である。
【００８２】
上述した実施形態１では、開封線が、物品の配列方向と略垂直方向に形成され、物品の復元力によって破断しやくなっている。よって、実施形態１では、開封しやすく、且つ、開封して開閉部により閉塞した後も、開閉部を開きやすい構成となっている。また、実施形態１では、開封線が、対向する２つの側面部Ｂ、Ｂ’と略平行に、天面部５に一直線に設けられているが、これに限られず、例えば、１つ以上の開封線を、対向する２つの側面部Ｂ、Ｂ’と略平行に形成するように、天面部５に追加で設けても良い。
【００８３】
上記各実施形態に係る包装袋では、同じ数の物品が２列配列されているが、閉じられた開閉部を開くことが簡単になるという効果を発揮するものであれば、１列や２列より多い列で配列しても良いし、異なる数の物品を複数列配列しても良い。具体的には、実施形態１を例にすると、物品を対向する２つの側面部Ｂ、Ｂ’と略平行に１列配列させ、開閉部８を、閉塞状態において対向する２つの側面部Ａ、Ａ’と略平行に延在するように設ける。この構成により、対向する２つの側面部Ａ、Ａ’に、物品の復元力が略垂直方向に働くことになり、開閉部を開く方向に力が作用するので開閉部８を開きやすくなる。
【００８４】
上記各実施形態では、開閉部は、包装袋の開口を閉塞可能な一対の係合部材を有するチャックで構成されているが、これに限られず、例えば、雄係合部材と当該雄係合部材が繰り返し剥離可能に接着できる雌係合部材とで構成される面ファスナーを使用して包装袋の開口を閉塞しても良い。この場合、包装袋の閉塞状態において、面ファスナーが、複数の物品の配列方向と交差する方向（例えば、略垂直な方向）に延在するように、包装袋の頂部に雄係合部材および当該雄係合部材に対応する雌係合部材を設ける。
【００８５】
上述した実施形態１、実施形態２−１、および実施形態２−２に係る包装袋は、開閉部のうち一方の係合部材と他方の係合部材とが、向かい合うように、包装袋の内側に設けられているが、これに限られず、開閉部を開きやすいという本発明の所期の目的を達成し得るのであれば、開閉部を、互いに背向するように包装袋の外側に形成してもよい。
【００８６】
上記各実施形態に係る包装袋は、可搬性を考慮して、実施形態１に係る包装袋の立ち上がり部６の内側（または外側）の面に基端領域が接着された一対の持ち手部を備えたり、実施形態２に係る包装袋の立ち上がり部１６に手で持って提げるための穴を形成したりしても良い。
【００８７】
さらに、上述の各実施形態では、圧縮して収容された物品の復元力によって物品の配列方向に包装袋が膨出し、さらにその膨出に伴って配列方向と直交する方向に包装袋が凹むものとして説明した。しかし要は、物品の復元力が開閉部を開くことに資する構成であればよく、有意の凹みが生じることを要件とするものではない。
【００８８】
上記各実施形態に係る包装袋には、立ち上がり部が形成されているが、立ち上がり部を形成しない形態であっても良い。これにより、包装袋全体をコンパクトな形状にすることが可能となる。
【符号の説明】
【００８９】
１、１０、１０’  包装袋
２  衛生用品
３、１３  胴部
４、１４  頂部
５  天面部
６、１６  立ち上がり部
７、１７  開封線
８、１８  開閉部
１５  傾斜面部
１００、１１０、１１０’ 、１２０、１２０’ 、１３０  包装体
【図１】
0006672629.tif 000002
【図２】
0006672629.tif 000003
【図３】
0006672629.tif 000004
【図４】
0006672629.tif 000005
【図５】
0006672629.tif 000006
【図６】
0006672629.tif 000007
【図７】
0006672629.tif 000008
【図８】
0006672629.tif 000009
【図９】
0006672629.tif 000010
【図１０】
0006672629.tif 000011
【図１１】
0006672629.tif 000012
【図１２】
0006672629.tif 000013
【図１３】
0006672629.tif 000014
【図１４】
0006672629.tif 000015
【図１５】
0006672629.tif 000016
【図１６】
0006672629.tif 000017
【図１７】
0006672629.tif 000018
【図１８】
0006672629.tif 000019
【図１９】
0006672629.tif 000020
【図２０】
0006672629.tif 000021
【図２１】
0006672629.tif 000022
【図２２】
0006672629.tif 000023